(57)【特許請求の範囲】
【請求項１】
記録媒体に格納されたデジタルデータを、前記デジタルデータから生成される音声の再生速度より速い速度で読み出して第１メモリに格納する読み出し部と、
前記読み出し部によって読み出された前記デジタルデータを符号化して得られる符号化データを第２メモリに格納する符号化部と、
前記第１メモリに格納された前記デジタルデータから生成される音声を前記再生速度で再生する再生部と、
前記第２メモリに格納された前記符号化データを前記第２メモリとは別の第３メモリに転送する転送部と、
前記第１メモリに格納されている再生されていない前記デジタルデータのデータサイズが所定サイズ以上の場合には、前記第２メモリの残容量が所定量より少なくなった際に前記デジタルデータの読み出しを停止し、前記残容量が前記所定量以上になった際に前記デジタルデータの読み出しを再開するよう前記読み出し部を制御すると共に、前記第１メモリに格納されている再生されていない前記デジタルデータのデータサイズが所定サイズより小さくなった場合には、前記デジタルデータから生成される音声の音量を段階的に小さくするよう前記再生部を制御する制御部と、
を備えることを特徴とするデジタルデータ再生装置。
【請求項２】
請求項１に記載のデジタルデータ再生装置であって、
前記第１及び第２メモリは１つのメモリ上に形成された２つの記憶領域により構成されることを特徴とするデジタルデータ再生装置。
【請求項３】
記録媒体に格納されたデジタルデータを読み出して再生する再生装置を制御するコンピュータに、
前記デジタルデータを、前記デジタルデータから生成される音声の再生速度より速い速度で読み出して第１メモリに格納するよう前記再生装置を制御する手順と、
読み出された前記デジタルデータを符号化して得られる符号化データを第２メモリに格納するよう前記再生装置を制御する手順と、
前記第１メモリに格納された前記デジタルデータから生成される音声を前記再生速度で再生するよう前記再生装置を制御する手順と、
前記第２メモリに格納された前記符号化データを前記第２メモリとは別の第３メモリに転送するよう前記再生装置を制御する手順と、
前記第１メモリに格納されている再生されていない前記デジタルデータのデータサイズが所定サイズ以上の場合には、前記第２メモリの残容量が所定量より少なくなった際に前記デジタルデータの読み出しを停止し、前記残容量が前記所定量以上になった際に前記デジタルデータの読み出しを再開するよう前記再生装置を制御する手順と、
前記第１メモリに格納されている再生されていない前記デジタルデータのデータサイズが所定サイズより小さくなった場合には、前記デジタルデータから生成される音声の音量を段階的に小さくするよう前記再生装置を制御する手順とを、
実行させるためのプログラム。
【発明の詳細な説明】
【技術分野】
【０００１】
本発明は、デジタルデータ再生装置及びプログラムに関する。
【背景技術】
【０００２】
ＣＤ（Compact Disc）等の記録媒体に格納された音声や映像のデジタルデータをＭＰ３（MPEG Audio Layer-3）形式に変換して、ＵＳＢ（Universal Serial Bus）等を介して携帯型プレーヤ等の外部メモリに転送することが行われている。このように、デジタルデータを外部メモリに転送するために圧縮等の符号化を行うことをリッピングという。そして、オーディオ装置やパーソナルコンピュータ等の再生装置では、デジタルデータを再生速度と等倍速で読み出し、読み出したデジタルデータを再生して音声や映像を出力しながらリッピングを行い、リッピングによって生成されたデータを外部メモリに転送する場合がある（例えば、特許文献１参照）。このような再生装置を用いれば、音声や映像を楽しみながら、リッピングされたデータを外部メモリに転送することができる。
【特許文献１】特開２００７−１３３９５５号公報
【発明の開示】
【発明が解決しようとする課題】
【０００３】
ところで、リッピングにより生成されるデータは再生装置の内部または外部の作業用メモリに一時的に格納される。そして、作業用メモリに格納されたデータが読み出されて、ＵＳＢ等を介して外部メモリに転送されていくことになる。ここで、リッピングの速度に比較して外部メモリへの転送速度が遅い場合や、外部メモリへの転送が一時的に中断した場合においては、リッピングされたデータが作業用メモリに蓄積されていき、作業用メモリの残容量が少なくなっていく。このような場合、作業用メモリがオーバーフローしてしまわないように、ＣＤ等の記録媒体からのデジタルデータの読み出しを一時的に停止する必要がある。ところが、再生しながらリッピングする場合にデジタルデータの読み出しを一時的に停止してしまうと、デジタルデータは再生速度と等倍速で読み出されているため、読み出しが停止している間、音声や映像の再生が途切れてしまうことになる。
【０００４】
本発明は上記課題を鑑みてなされたものであり、デジタルデータの再生を突然途切れさせること無く、デジタルデータを符号化したデータを外部メモリに転送することを目的とする。
【課題を解決するための手段】
【０００５】
上記目的を達成するため、本発明のデジタルデータ再生装置は、記録媒体に格納されたデジタルデータを、前記デジタルデータから生成される音声の再生速度より速い速度で読み出して第１メモリに格納する読み出し部と、前記読み出し部によって読み出された前記デジタルデータを符号化して得られる符号化データを第２メモリに格納する符号化部と、前記第１メモリに格納された前記デジタルデータから生成される音声を前記再生速度で再生する再生部と、前記第２メモリに格納された前記符号化データを前記第２メモリとは別の第３メモリに転送する転送部と、前記第１メモリに格納されている再生されていない前記デジタルデータのデータサイズが所定サイズ以上の場合には、前記第２メモリの残容量が所定量より少なくなった際に前記デジタルデータの読み出しを停止し、前記残容量が前記所定量以上になった際に前記デジタルデータの読み出しを再開するよう前記読み出し部を制御すると共に、前記第１メモリに格納されている再生されていない前記デジタルデータのデータサイズが所定サイズより小さくなった場合には、前記デジタルデータから生成される音声の音量を段階的に小さくするよう前記再生部を制御する制御部と、を備える。
【発明の効果】
【０００６】
デジタルデータの再生を突然途切れさせること無く、デジタルデータを符号化したデータを外部メモリに転送することが可能になる。
【発明を実施するための最良の形態】
【０００７】
図１は、本発明の一実施形態であるデジタルデータ再生装置の構成を示す図である。デジタルデータ再生装置１０は、ＤＳＰ（Digital Signal Processor）２０、システムマイコン２２、及びＵＳＢ（Universal Serial Bus）マイコン２４を含んで構成されている。
【０００８】
ＤＳＰ２０は、システムマイコン２２の制御に基づいて、ＣＤ規格の記録媒体３０をスピンドルモータ３１によって回転させ、ピックアップ３２から出力されるレーザによってＰＣＭ（Pulse Code Modulation）形式のデジタルデータ（ＰＣＭデータ）を読み出し、読み出したＰＣＭデータを再生してスピーカ３４から音声を出力する。また、ＤＳＰ２０は、システムマイコン２２の制御に基づいて、再生対象として記録媒体３０から読み出されたＰＣＭデータをＭＰ３形式に符号化して得られる符号化データ（ＭＰ３データ）を生成し、ＵＳＢマイコン２４に出力する。なお、記録媒体に格納されているデジタルデータや、チューナ等から入力されるデジタルデータを携帯型プレーヤ等の外部メモリに転送するために形式変換することをリッピングという。本実施形態では、記録媒体３０に格納されたＰＣＭデータからＭＰ３データを生成する処理がリッピングである。また、図２に示すように、ＳＤＲＡＭ（Synchronous Dynamic Random Access Memory）３６には、ＰＣＭデータが格納されるＰＣＭデータ領域（第１メモリ）と、ＭＰ３データが格納されるＭＰ３データ領域（第２メモリ）とが設けられており、ＤＳＰ２０は、記録媒体３０から読み出したＰＣＭデータや、リッピングにより生成されたＭＰ３データをＳＤＲＡＭ３６に格納する。
【０００９】
システムマイコン２２（制御部）は、ＰＣＭデータの再生やリッピングの実行等のユーザからの指示を受け付け、ＤＳＰ２０との間で指示に応じたデータの送受信を行う。また、システムマイコン２２は、ＰＣＭデータの再生やリッピング等に伴う各種情報をディスプレイ３８に出力することができる。例えば、ある曲を再生する場合であれば、その曲のトラック番号を指定した再生指示データがＤＳＰ２０に送信される。そして、再生時間等に関する制御データがＤＳＰ２０からシステムマイコン２２に送信され、制御データから得られる情報がディスプレイ３８に表示される。また、例えば、ある曲を再生しながらリッピングする場合であれば、その曲のトラック番号を指定した再生指示データとともに、リッピング指示データがＤＳＰ２０に送信される。
【００１０】
ＵＳＢマイコン２４は、ＤＳＰ２０から出力されるデータを、ＵＳＢコネクタ等を介して接続される、メモリ（第３メモリ）を有する携帯型音楽プレーヤ等のＵＳＢデバイス４０に転送するための処理回路である。例えば、リッピングによって生成されたＭＰ３データが、ＵＳＢマイコン２４及びＵＳＢデバイス４０の仕様に応じた速度で順次ＵＳＢマイコン２４に出力され、ＵＳＢデバイス４０に転送されることになる。
【００１１】
なお、本実施形態では、記録媒体３０がＣＤ規格であることとしたが、記録媒体３０の規格はＣＤに限られず、例えば、ＤＶＤ（Digital Versatile Disk）等、リッピング可能なデジタルデータが格納されているものであればよい。また、リッピング対象のデジタルデータはＰＣＭデータに限られず、リッピングにより生成されるデータもＭＰ３データに限られない。例えば、ＤＶＤ−Ｖｉｄｅｏ形式のデジタルデータをリッピングしてＭＰＥＧ形式のデジタルデータを生成することとしてもよい。また、リッピングにより生成されたデジタルデータを外部の携帯型音楽プレーヤ等に転送する規格もＵＳＢに限られない。
【００１２】
ＤＳＰ２０の詳細構成について説明する。ＤＳＰ２０は、サーボ回路５０、ＣＤ−ＤＡ（Compact Disk Digital Audio）処理回路５２、ＤＡＣ（Digital to Analog Converter）５４、ＰＣＭ制御レジスタ５６、ＰＣＭ容量レジスタ５８、ＭＰ３エンコーダ６０、ＭＰ３制御レジスタ６２、ＭＰ３容量レジスタ６４、外部転送回路６６、転送制御レジスタ６８、及びレジスタＩ／Ｆ（Interface）７０を含んで構成されている。
【００１３】
サーボ回路５０は、スピンドルモータ３１を制御することにより、記録媒体３０に格納されたＰＣＭデータの読み出し速度を調整する。また、サーボ回路５０は、ピックアップ３２から出力されるレーザが適切な位置に照射されるようにピックアップ３２を制御する。なお、サーボ回路５０は、記録媒体３０に格納されたＰＣＭデータを再生速度（ＰＣＭデータのビットレート）より速い速度で読み出すようスピンドルモータ３１の回転速度を制御する。本実施形態では、再生速度の倍速（２倍速）でＰＣＭデータが読み出されることとする。
【００１４】
ＣＤ−ＤＡ処理回路５２（読み出し部）は、ＰＣＭ制御レジスタ５６に設定された情報に基づいて、記録媒体３０に格納されている所望のＰＣＭデータを読み取るための制御データをサーボ回路５０に出力する。そして、ＣＤ−ＤＡ処理回路５２は、ピックアップ３２から出力されるＲＦ（Radio Frequency）信号をデジタル信号に変換してＰＣＭデータを生成し、ＳＤＲＡＭ３６のＰＣＭデータ領域に格納する。つまり、ＳＤＲＡＭ３６のＰＣＭデータ領域には、倍速で読み出されたＰＣＭデータが格納されていく。なお、ＣＤ−ＤＡ処理回路５２は、ＰＣＭデータをＳＤＲＡＭ３６のＰＣＭデータ領域にサイクリックに格納していく。すなわち、ＰＣＭデータ領域はリングバッファとなっている。そして、ＣＤ−ＤＡ処理回路５２で生成されたＰＣＭデータはＭＰ３エンコーダ６０にも出力される。また、ＣＤ−ＤＡ処理回路５２は、ＰＣＭ容量レジスタ５８に格納されている、ＰＣＭデータ領域の残容量を示す情報を随時更新する。なお、ＰＣＭデータ領域の残容量を示す情報とは、例えば、ＰＣＭデータ領域の残容量のサイズやＰＣＭデータ領域の使用率、ＰＣＭデータの書き込みアドレス等である。また、ＣＤ−ＤＡ処理回路５２は、ピックアップ３２からのＲＦ信号に基づいて、ピックアップ３２のフォーカス制御やトラッキング制御を行うための制御データをサーボ回路５０に出力する。そして、ＣＤ−ＤＡ回路５２（再生部）は、ＳＤＲＡＭ３６のＰＣＭデータ領域に格納されたＰＣＭデータを再生速度で読み出してＤＡＣ５４に出力する。これにより、ＰＣＭデータを再生した音声がスピーカ３４から出力される。
【００１５】
また、ＣＤ−ＤＡ処理回路５２は、例えば振動等によってＰＣＭデータを正常に読み出せていないことを検出した場合、該当のＰＣＭデータを記録媒体３０から再度読み出してＳＤＲＡＭ３６のＰＣＭデータ領域に格納する。ここで、ＰＣＭデータは記録媒体３０から倍速で読み出されてＰＣＭデータ領域に格納されているため、ＰＣＭデータの再読み出しが必要となった場合であっても、再生される音声がすぐに途切れてしまうことを防止することができる。すなわち、アンチショックプルーフ機能が実現されている。
【００１６】
ＭＰ３エンコーダ６０（符号化部）は、ＭＰ３制御レジスタ６２にリッピングを指示する情報が設定されている場合、ＣＤ−ＤＡ処理回路５２から出力されるＰＣＭデータを符号化（圧縮）してＭＰ３データを生成し、ＳＤＲＡＭ３６のＭＰ３データ領域に格納する。なお、ＭＰ３データ領域についても、ＰＣＭデータ領域と同様にリングバッファとなっている。また、ＭＰ３エンコーダ６０は、ＭＰ３容量レジスタ６４に格納されている、ＭＰ３データ領域の残容量を示す情報を随時更新する。なお、ＭＰ３データ領域の残容量を示す情報とは、例えば、ＭＰ３データ領域の残容量のサイズやＭＰ３データ領域の使用率、ＭＰ３データの書き込みアドレス等である。
【００１７】
外部転送回路６６は、転送制御レジスタ６８に設定されている、ＭＰ３データの転送開始アドレスや転送バイト数等の情報に基づいて、ＳＤＲＡＭ３６のＭＰ３データ領域に格納されているＭＰ３データを読み出してＵＳＢマイコン２４に出力する。ＵＳＢマイコン２４に出力されたＭＰ３データは携帯型プレーヤ等のＵＳＢデバイス４０に転送される。
【００１８】
このように、デジタルデータ再生装置１０は、記録媒体３０に格納されているＰＣＭデータを倍速で読み出して再生しながらリッピングを行い、リッピングによって生成されたＭＰ３データをＵＳＢデバイス４０に転送している。ここで、ＵＳＢデバイス４０への転送が一時的に中断した場合やＵＳＢデバイス４０への転送速度がＭＰ３データの生成速度よりも遅い場合には、ＳＤＲＡＭ３６のＭＰ３データ領域に格納されているＭＰ３データのサイズが大きくなっていく。そこで、システムマイコン２２は、ＭＰ３容量レジスタ６４等に格納されている情報に基づいて、ＳＤＲＡＭ３６のＭＰ３データ領域からＭＰ３データが溢れてしまわないように、記録媒体３０からのＰＣＭデータの読み出しを制御している。
【００１９】
図３は、ＰＣＭデータを倍速で読み出しながらリッピングを行う際の、システムマイコン２２による制御の一例を示すフローチャートである。なお、システムマイコン２２は、内部又は外部のメモリに格納されたプログラムを実行することにより図３の処理を実現する。
【００２０】
システムマイコン２２は、ＰＣＭデータを倍速で読み出しながらリッピングを行う際、リッピングによって生成されるＭＰ３データの管理を開始する（Ｓ１０１）。ＭＰ３データの管理を開始すると、システムマイコン２２は、ＰＣＭ容量レジスタ５８を参照し、ＰＣＭデータ領域の使用率が２０％以上であるかどうかを確認する（Ｓ１０２）。ＰＣＭデータ領域の使用率が２０％未満の場合（Ｓ１０２：ＮＯ）、システムマイコン２２はＰＣＭデータ領域の使用率が２０％以上となるまでＰＣＭデータ領域の使用率チェックを繰り返し実行する（Ｓ１０２）。ＰＣＭデータ領域の使用率が２０％以上の場合（Ｓ１０２：ＹＥＳ）、システムマイコン２２は、ＰＣＭデータ領域及びＭＰ３データ領域へのバッファリングの管理を開始する（Ｓ１０３）。したがって、ＰＣＭデータ領域の使用率が２０％未満の場合はバッファリングの管理が開始されないことになる。これは、ＰＣＭデータ領域の使用率が小さい場合、すなわち、ＰＣＭデータ領域に格納されているＰＣＭデータの量が少ない場合にＰＣＭデータの読み出しが停止されると、再生対象のＰＣＭデータが無くなってしまい、再生される音声が途切れてしまう可能性があるからである。
【００２１】
バッファリングの管理が開始されると、システムマイコン２２は、ＰＣＭデータ領域の使用率が２０％未満であるかどうか確認する（Ｓ１０４）。ＰＣＭデータ領域の使用率が２０％未満となっている場合（Ｓ１０４：ＹＥＳ）、再生される音声が途切れてしまう可能性があるため、システムマイコン２２は、音声のフェードアウトを指示する情報をＰＣＭ制御レジスタ５６に書き込み、ＣＤ−ＤＡ処理回路５２にフェードアウト処理を実行させる（Ｓ１０５）。
【００２２】
ＰＣＭデータ領域の使用率が２０％以上の場合（Ｓ１０４：ＮＯ）、システムマイコン２２は、ＭＰ３容量レジスタ６４を参照し、ＭＰ３データ領域の使用率が６０％以上であるかどうかを確認する（Ｓ１０６）。ＭＰ３データ領域の使用率が６０％未満の間（Ｓ１０６：ＮＯ）、システムマイコン２２は、ＭＰ３データのＵＳＢデバイス４０への転送が滞りなく行われていると判断し、ＰＣＭデータ領域及びＭＰ３データ領域の使用率のチェック（Ｓ１０４，Ｓ１０６）を繰り返し実行する。
【００２３】
ＭＰ３データ領域の使用率が６０％以上になると（Ｓ１０６：ＹＥＳ）、システムマイコン２２は、ＵＳＢデバイス４０への一時的な書き込みエラーや、ＭＰ３データの生成速度とＵＳＢデバイス４０への転送速度との違い等によってＭＰ３データのＵＳＢデバイス４０への転送が滞っていると判断し、記録媒体３０からのＰＣＭデータの読み出しの一時停止を指示する情報をＰＣＭ制御レジスタ５６に書き込む（Ｓ１０７）。これにより、記録媒体３０からのＰＣＭデータの読み出しが一時停止され、ＭＰ３データがＭＰ３データ領域から溢れてしまうことを防ぐことができる。このとき、記録媒体３０からのＰＣＭデータの読み出しは一時停止されるが、ＰＣＭデータ領域には倍速で読み出されたＰＣＭデータが格納されているため、再生される音声がすぐに途切れてしまうことはない。
【００２４】
ＰＣＭデータの読み出しが一時停止されている間、システムマイコン２２は、ＰＣＭデータ領域の使用率が２０％未満であるかどうか確認し（Ｓ１０８）、２０％未満となっている場合（Ｓ１０９：ＹＥＳ）、音声のフェードアウトを指示する情報をＰＣＭ制御レジスタ５６に書き込み、ＣＤ−ＤＡ処理回路５２にフェードアウト処理を実行させる（Ｓ１０９）。そして、システムマイコン２２は、ＭＰ３データ領域の使用率が６０％以上の間（Ｓ１１０：ＮＯ）、一時停止状態を継続する。ＭＰ３データ領域の使用率が６０％未満になると（Ｓ１１０：ＹＥＳ）、システムマイコン２２は、記録媒体３０からのＰＣＭデータの読み出し再開を指示する情報をＰＣＭ制御レジスタ５６に書き込む（Ｓ１１１）。これにより、記録媒体３０からのＰＣＭデータの読み出しが再開され、ＰＣＭデータ領域へのＰＣＭデータの格納およびＭＰ３データ領域へのＭＰ３データの格納も再開される。その後、ＰＣＭデータ領域の使用率のチェック処理（Ｓ１０４）に戻り、一連の処理（Ｓ１０５〜Ｓ１１１）が繰り返し実行される。
【００２５】
このように、デジタルデータ再生装置１０では、記録媒体３０からＰＣＭデータが倍速で読み出されてＰＣＭデータ領域に格納されるとともに、読み出されたＰＣＭデータをリッピングして生成されたＭＰ３データがＵＳＢデバイス４０に転送される。したがって、ＵＳＢデバイス４０への書き込みエラーや、ＭＰ３データの生成速度とＵＳＢデバイス４０への転送速度との違い等に伴って、記録媒体３０からのＰＣＭデータの読み出しが一時的に停止された場合であっても、再生される音声がすぐに途切れてしまうことを防ぐことができる。
【００２６】
また、デジタルデータ再生装置１０では、ＭＰ３データ領域の使用率が６０％以上になると記録媒体３０からのＰＣＭデータの読み出しが一時停止される。すなわち、ＭＰ３データ領域の残容量が所定量より少なくなると記録媒体３０からのＰＣＭデータの読み出しが停止され、ＭＰ３データ領域の残容量が所定量より多くなると記録媒体３０からのＰＣＭデータの読み出しが再開される。これにより、ＵＳＢデバイス４０への書き込みエラーや、ＭＰ３データの生成速度とＵＳＢデバイス４０への転送速度との違い等に伴って、ＭＰ３データ領域に格納されたＭＰ３データが増加していく場合であっても、ＭＰ３データがＭＰ３データ領域から溢れてしまうことを防ぐことができる。また、ＰＣＭデータは記録媒体３０から倍速で読み出されてＰＣＭデータ領域に格納されているため、ＰＣＭデータの読み出しが一時停止された場合に、再生される音声がすぐに途切れてしまうことを防ぐことができる。
【００２７】
さらに、デジタルデータ再生装置１０では、ＰＣＭデータ領域の使用率が２０％以上である場合に、ＰＣＭデータ領域及びＭＰ３データ領域へのバッファリングの管理が行われる。すなわち、ＰＣＭデータ領域に格納されている再生されていないＰＣＭデータのデータサイズが所定サイズより大きい場合に、バッファリングの管理が行われる。これにより、ＰＣＭデータ領域に格納されているＰＣＭデータの量が少ない場合にＰＣＭデータの読み出しが停止され、再生される音声が途切れてしまうことを防ぐことができる。
【００２８】
そして、デジタルデータ再生装置１０では、ＰＣＭデータ領域及びＭＰ３データ領域へのバッファリングの管理が行われている間に、ＰＣＭデータ領域の使用率が２０％未満になった場合は、音声のフェードアウト処理が実行される。すなわち、ＰＣＭデータ領域に格納されている再生されていないＰＣＭデータのデータサイズが所定サイズより小さくなるとＰＣＭデータの再生レベルが段階的に小さくされる。これにより、記録媒体３０からのＰＣＭデータの読み出しが一時停止されたこと等によってＰＣＭデータ領域に格納されているＰＣＭデータが無くなり、再生される音声が突然途切れてしまうことを防ぐことができる。
【００２９】
また、デジタルデータ再生装置１０において管理されるＰＣＭデータ領域及びＭＰ３データ領域は、ともにＳＤＲＡＭ３６上に形成されている。すなわち、アンチショックプルーフ機能を実現するために必要となるＳＤＲＡＭ３６を用いて、ＭＰ３データのバッファリングの管理を行うことができる。したがって、アンチショックプルーフ機能を実現する際に必要となるメモリの他に、別途メモリを用いる必要がなく、コストの増大を抑制することができる。
【００３０】
なお、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００３１】
【図１】本発明の一実施形態であるデジタルデータ再生装置の構成を示す図である。
【図２】ＳＤＲＡＭ上に形成されたＰＣＭデータ領域及びＭＰ３データ領域の例を示す図である。
【図３】ＰＣＭデータを倍速で読み出しながらリッピングを行う際の、システムマイコンによる制御の一例を示すフローチャートである。
【符号の説明】
【００３２】
１０  デジタルデータ再生装置
２０  ＤＳＰ
２２  システムマイコン
２４  ＵＳＢマイコン
３０  記録媒体
３１  スピンドルモータ
３２  ピックアップ
３４  スピーカ
３６  ＳＤＲＡＭ
３８  ディスプレイ
４０  ＵＳＢデバイス
５０  サーボ回路
５２  ＣＤ−ＤＡ処理回路
５４  ＤＡＣ
５６  ＰＣＭ制御レジスタ
５８  ＰＣＭ容量レジスタ
６０  ＭＰ３エンコーダ
６２  ＭＰ３制御レジスタ
６４  ＭＰ３容量レジスタ
６６  外部転送回路
６８  転送制御レジスタ
７０  レジスタＩ／Ｆ
【図１】
0005028307.tif 000002
【図２】
0005028307.tif 000003
【図３】
0005028307.tif 000004